(57)【要約】【課題】一対の脚ゴムに布製のベルトを固着した構成では、ベルトを長くすると脚ゴムがベルトをよじり、脚ゴムとしての機能は奏さない。【解決手段】信号処理回路及びキーボードを配した本体筐体２と、表示部を配した表示筐体１と、本体筐体２と表示筐体１とを開閉するヒンジ部をカバーするヒンジカバー３と、脚ゴム４とを、キーボード設置側に対向する裏面に備えるノートパソコンにおいて、ベルト５の両端部が収納部６に摺動可能に収納されるよう、ビス７が収納部６と裏面とを螺結する。【選択図】図１
2011013738.tif 000002
【特許請求の範囲】
【請求項１】
情報信号に応じた視認信号を表示する表示装置と、前記情報信号を入力する入力部と、前記情報信号を前記視認信号に変換する信号処理回路と、前記信号処理回路を内包し前記入力部を一主面に配した筐体と、前記一主面と前記信号処理回路を介して対向する対向主面とを備える携帯電子機器であって、
前記対向主面には、ベルトと、前記ベルトの両端部を係止する一対の係止部と、前記両端部を収納する一対の収納部とを備え、
前記ベルトは、前記両端部が前記一対の収納部に全て収納された収納状態と、前記両端部が前記一対の係止部により係止され前記収納部から引き出された引出状態との間を可逆的に取り得るように構成され、前記一対の収納部における前記対向主面からの最大高さより前記引出状態の前記ベルトの一部が突出する携帯電子機器。
【請求項２】
前記収納状態における前記ベルトが前記対向主面以内に収納する収納凹部を備え、前記収納凹部に前記一対の収納部を配する請求項１記載の携帯電子機器。
【請求項３】
前記表示装置は前記筐体とは別体の第２筐体に配置され、
前記表示装置の表示面と前記入力部とを近接させた第１の状態と、前記表示面と前記入力部とを離隔した第２の状態とを可逆的に回動する回動軸を備えるヒンジ部を備え、
前記ベルトは、前記対向主面で前記回動軸に直交方向における中心線よりも前記回動軸側で、前記回動軸と平行に配置されている請求項１または２の何れかに記載の電子機器。
【請求項４】
前記ヒンジ部における外形形状は、前記対向主面から凸状に傾斜する曲面である請求項３記載の電子機器。
【発明の詳細な説明】
【技術分野】
【０００１】
本発明は、片手の掌で保持しながらもう一方の片手で操作することが可能な電子機器に関する。
【背景技術】
【０００２】
集積回路の進歩に起因する小型・軽量化や、パーソナルユースで、携帯電子機器が普及している。電子機器の携帯化により、持ち運び性を勘案して、ベルトを備えた電子機器がある。
【０００３】
例えば、情報処理装置の本体底面に、布製のベルト部と、ベルト部を情報処理装置に固定する一対の固定部と、一対の固定部の間に情報処理装置を載置した時滑り防止の機能を有する一対の脚ゴム部とを備えたハンドストラップが特許文献１で提案され、ハンドストラップと脚ゴムとを一体化することで、情報処理装置本体底面の最も突出した部分に脚ゴムを配置することができる効果がある。
【先行技術文献】
【特許文献】
【０００４】
【特許文献１】特開２００７−１０２５３２号公報
【発明の概要】
【発明が解決しようとする課題】
【０００５】
特許文献１に開示されているハンドストラップでは、脚ゴム部はベルト部とのみ係合するだけで、脚ゴム部と本体底面とは独立している。この構成により、一対の脚ゴム部の間隔を変化させることで、例えば操作者の手の大きさに応じてベルト部の長さを変えることができる。
【０００６】
しかしながら、一対の脚ゴム部それぞれに布製のベルト部の両端が固着されている構成であるため、情報処理装置を操作する操作者が異なる場合には、その操作者の手の大きさに逐一変更することが要請され、不便であった。また、操作者の手の大きさによっては、情報処理装置本体底面の幅方向にほぼ一杯に脚ゴム部を広げる必要があり、その場合には情報処理装置本体底面を机等の平面に設置する際に、情報処理装置本体底面全体に広がった脚ゴム部がベルト部は情報処理装置本体底面に対して離隔するため、脚ゴムとしての機能を発揮し得ないという課題もあった。
【０００７】
本発明は、係る従来の課題を鑑み、手の大きさが異なる操作者が用いる場合であっても常に安定して保持でき、平坦な面に設置する際にも平面性を維持できる携帯電子機器の提供を目的とする。
【課題を解決するための手段】
【０００８】
上記課題を解決する本発明の携帯電子機器は、情報信号に応じた視認信号を表示する表示装置と、前記情報信号を入力する入力部と、前記情報信号を前記視認信号に変換する信号処理回路と、前記信号処理回路を内包し前記入力部を一主面に配した筐体と、前記一主面と前記信号処理回路を介して対向する対向主面とを備え、前記対向主面には、ベルトと、前記ベルトの両端部を係止する一対の係止部と、前記両端部を収納する一対の収納部とを備え、前記ベルトは、前記両端部が前記一対の収納部に全て収納された収納状態と、前記両端部が前記一対の係止部により係止され前記収納部から引き出された引出状態との間を可逆的に取り得るように構成され、前記一対の収納部における前記対向主面からの最大高さより前記引出状態の前記ベルトの一部が突出する構成を備える。
【発明の効果】
【０００９】
上記構成を備えることによって、本発明の携帯電子機器を操作する操作者の手の大きさに拘わらず、ベルトと対向主面との間に挿入した手で安定して保持することができると共に、収納部を高く設定する必要はないため、小型化することができる。
【図面の簡単な説明】
【００１０】
【図１】本発明の一実施形態におけるノートパソコンの平面図
【図２】同実施形態におけるノートパソコンの側面図
【図３】同実施形態におけるノートパソコンの要部断面図
【図４】同実施形態における収納部の要部断面斜視図
【図５】同収納部に収納したベルトを説明する要部断面斜視図
【図６】同実施形態におけるノートパソコンの斜視図
【図７】同ノートパソコンにおける保持状態の一例を説明する斜視図
【図８】本発明の別の実施形態におけるノートパソコンの斜視図
【図９】同実施形態における要部平面図
【図１０】本発明の他の実施形態におけるノートパソコンの斜視図
【図１１】同ノートパソコンにおける保持状態の一例を説明する斜視図
【図１２】同ノートパソコンにおける保持状態の他の例を説明する斜視図
【図１３】本発明の別の実施形態におけるノートパソコンの斜視図
【発明を実施するための形態】
【００１１】
次に、携帯電子機器の一例として、液晶パネル等の表示部（表示装置に相当）を備えた表示筐体（第２筐体に相当）と、情報信号を入力するキーボード等の入力部を一主面に配し入力部等で入力された情報信号を視認信号に変換する信号処理回路を内包する本体筐体（筐体に相当）と、表示筐体と本体筐体とを回動自在に軸支する回動軸とを備えるノートパソコンを挙げ、以下具体的実施例について説明する。
【実施例１】
【００１２】
本実施例のノートパソコンにおける本体筐体２の対向主面（以下、裏面と称す）の平面図を図１に示す。なお、本体筐体２の主面に配する入力部と、この入力部から入力した情報信号を処理する信号処理回路とは同図では反対面（以下、表面と称す）となるため図示は省略している。また、図２は図１における紙面上側から見た側面図、図３は図１における線Ｌ・Ｌで破断した断面を図１の紙面下から見た断面図である。これらの図において、１は液晶パネル等の表示部（不図示）を配した表示筐体、２は情報信号を表示部に表示する視認信号に変換する信号処理回路（不図示）を内包すると共に一主面にキーボード等の入力部（不図示）を配した本体筐体、３は表示筐体１を本体筐体２に対し回動自在に軸支する回動軸（不図示）をカバーするヒンジカバー、４はノートパソコンを机等の平面に本体筐体２の裏面を載置した際等の衝撃を緩和すると共にノートパソコンの滑りを抑制する脚ゴム、５は本体筐体２の裏面に対向して配置したベルト、６はベルト５の端部を収納する収納部、７はベルト５を収納部６に係止するビス（係止部）、また１０は液晶表示パネルである。
【００１３】
図から明らかなように、ベルト５の両端部は、それぞれ一対の収納部６に収納されている。収納部６に収納された状態では、本体筐体２の裏面から収納部６の最も離隔した高さよりもベルト５の高さが低く設定されている。このため、本体筐体２が備える脚ゴム４及び収納部６を机等の平面に設置する際に、例えばベルト５が収納部６と平面との間に入り込む等の緩衝することはなく、常に安定的に載置することができる。
【００１４】
ノートパソコンを保持しながら操作する際には、一方の掌を本体筐体２の裏面に沿わせベルト５に手の甲を沿わせ、手をベルト５と本体筐体２の背面との間に挿入する。本実施例では、図３に示すように、ベルト５の両端部には、ベルト５の長さ方向に添ってベルト５を長孔の貫通孔１２（図５参照）を備え、この貫通孔１２の内部に本体筐体２の裏面と収納部６とを螺結するビス７で係止している。ベルト５はゴム弾性や可撓性を有する例えばスチレン・ブタジエン共重合樹脂、シリコーンゴム、ポリブチレン・テレフタレート樹脂等を用いて平板状に成形される。
【００１５】
また、ベルト５を貫通する貫通孔１２は、ビス７により収納部６と本体筐体２の裏面とを螺結することで、ベルト５が収納部６の中を摺動する。この詳細を図４及び５を参照して説明する。図４は本体筐体２の裏面に対向するベルト５の面で収納部６を切断した状態を示す斜視図で、ネジ穴１１はビス７が螺結する雌ネジを備える。図５は図４に示した収納部６にベルト５の一方の端部を挿入した状態で、ビス７で螺結する前の様子を示す斜視図である。ビス７がネジ穴１１に螺合すると、ベルト５は貫通孔１２の長穴の長さｃだけ収納部６中を摺動する。よって、ベルト５の端部を一対の収納部６中で摺動させることによって、一対の収納部６間で変形させると、その変形を元の平坦に復元する復元力が作用する。
【００１６】
次に、本体筐体２の裏面とベルト５との間に掌を挿入し、ノートパソコンを保持する様子を図６及び図７を参照して説明する。図６は手を挿入保持する前のノートパソコンの斜視図で、図７は手を挿入してノートパソコンを保持した様子の斜視図である。先ず、使用者が例えば立った姿勢で本体筐体２の裏面とベルト５との間に手を挿入する。収納部６の中で貫通孔１２における長孔の長さｃだけベルト５は摺動し、図７のように使用者の一方の手の甲に、ベルト５が本体筐体２の裏面方向に復元する復元力により密着する。手の甲にベルト５の復元力が作用すると共に、挿入した手の指を広げることで、ノートパソコンは安定的に保持することができる。この状態で表示筐体１をヒンジカバー３内の回動軸回りに開蓋し、ノートパソコンの電源投入、本体筐体２のベルト５の配置面に対向する表面に備えるキーボードやポインティングデバイスの操作を安定に行うことができる。
【００１７】
なお、ベルト５を手で把持しノートパソコンを持ち運ぶ、またはベルト５を捻ることも想定されるため、ベルト５の両端部を収納する収納部６及びベルト５は強度を持つ必要がある。ベルト５の強度を確保する構成は収納部の大型化も必要となり、ノートパソコンが厚くなると共にデザイン感覚も劣る。このような場合、図８のように一対の収納部６及びベルト５を収納部溝１３の中に収容する構成がある。この構成では、例えば収納部溝１３の溝底面から一対の収納部６の最大高さが、本体筐体２の裏面から突出していても収納部溝１３の内部に埋没していても何れであっても良い。例えば突出している場合には収納部６は脚ゴム機能を奏し、例えば液晶パネルが１０インチ程度の超小型ノートパソコンの場合等にはノートパソコンとしての厚みを薄型化できる効果を奏する。
【００１８】
但し、収納部溝１３を備える場合には、例えば図９に示すように本体筐体２の裏面及び収納部溝１３の境界線と、収納部６との隙間ａ及びｂを備えることが好ましく、少なくとも隙間ａ及びｂはベルト５と収納部溝１３の溝底面との間に案内する傾斜面とすることが望ましい。
【００１９】
以上のように、本実施例のノートパソコンを操作する操作者の手の大きさに拘わらず、ベルトと対向主面との間に挿入した手で安定して保持することができると共に、収納部を高く設定する必要はないため、小型化することができる。また、右利き・左ききに拘わらず同一構成で同じ効果を奏することができる。
【実施例２】
【００２０】
次に、ノートパソコンの他の実施例を図１０〜図１２を参照して説明する。本実施例のノートパソコンは、実施例１で説明したノートパソコンと基本的には同一であるが、本体筐体２からヒンジカバー３の方向にかけ傾斜部１５により肉厚にした湾曲部１６を備え、ベルト１４は湾曲部１６に一対の収納部６で係止されている。本実施例のノートパソコンでもバンドル５と湾曲部１６との間に手を挿入することで図７と同様に保持することができるが、傾斜部１５を備えるため掌がノートパソコンに沿ってなじみやすいという効果がある。また、例えば超小型ノートパソコンの場合には、一対の収納部６の間に４本の指を通す空間がない場合には、例えば図１１のように４指をベルト１４に架けることで、より安定した保持を達成できる。
【００２１】
また、図１２に示すように、湾曲部１６の周囲を手で把持してノートパソコンを運搬することも可能で、この構成では傾斜部１５に４指を引っかけると共に、ベルト１４が掌と係合することで滑り止めの効果も奏する。
【００２２】
さらに、ベルト１４は図１３に示すように、実施例１と同様に収納部溝１３に収容する構成であっても良い。特に、湾曲部１６は突出しているため、湾曲部１６に沿って収納部６を配置すると、より厚みが増し大型化する課題が解消できる。
【００２３】
以上のように、本実施例のノートパソコンを操作する操作者の手の大きさに拘わらず、ベルトと対向主面との間に挿入した手で安定して保持することができると共に、収納部を高く設定する必要はないため、小型化することができる。また、右利き・左ききに拘わらず同一構成で同じ効果を奏することができる。
【００２４】
上述の実施例は何れも、回動軸で回動する表示筐体１と本体筐体２とを備えるノートパソコンについて説明したが、例えば操作部と表示部とが同一面に配されている構成であっても良い。さらに、ノートパソコン以外でも、例えばポータブルＤＶＤプレーヤ、携帯ナビゲーションシステム等、携帯電子機器に幅広く適用することができる。
【産業上の利用可能性】
【００２５】
片手で保持し他方の手で操作する電子機器の安定操作性を確保することができる。
【符号の説明】
【００２６】
１    表示筐体
２    本体筐体
３    ヒンジカバー
４    脚ゴム
５    ベルト
６    収納部
７    ビス
【図１】
2011013738.tif 000003
【図２】
2011013738.tif 000004
【図３】
2011013738.tif 000005
【図４】
2011013738.tif 000006
【図５】
2011013738.tif 000007
【図６】
2011013738.tif 000008
【図７】
2011013738.tif 000009
【図８】
2011013738.tif 000010
【図９】
2011013738.tif 000011
【図１０】
2011013738.tif 000012
【図１１】
2011013738.tif 000013
【図１２】
2011013738.tif 000014
【図１３】
2011013738.tif 000015